(57)【要約】【課題】保守点検作業の作業性を高め、使い勝手がよい遊技媒体の補給装置を提供する。【解決手段】遊技機２０が遊技機島１０の装着枠１１の開口１２を開いているとき、保守点検作業時に、作業者が誤ってレバー７０に触れ、レバー７０が前方位置から後方位置の方へ揺動しても、レバー７０が遊び区間内にあって前方位置と中間位置との間を揺動するのであれば、ストッパー６０はレバー７０に連動することなく移動阻止位置に維持されるようにし、補給路４０内の遊技媒体はノズル５０へ移動することがなく、遊技媒体がノズル５０から貯留タンク２５に排出されることはなく、作業者がレバー７０に触れないように配慮しながら保守点検作業をする必要がないようにした。【選択図】図１
2004267270.tif 000002
【特許請求の範囲】
【請求項１】
遊技機島の装着枠の開口を開閉するように遊技機が装着され、遊技機が前記装着枠の開口を閉じたとき、遊技機島側から遊技機側の貯留タンクへ遊技媒体を補給するようにした遊技媒体の補給装置において、
前記遊技機島側から前記貯留タンクへ遊技媒体を導くための補給路と、該補給路の始端と終端との間の途中位置に配されたストッパーと、前記補給路の終端に配されたノズルと、前記遊技機に連動するように配されたレバーと、前記ストッパーを前記レバーに連動させるためのストッパー連動機構とを備え、
前記ストッパーは、前記補給路内の遊技媒体の前記ノズルへの移動を阻止する移動阻止位置と、前記補給路内の遊技媒体の前記ノズルへの移動を許容する移動許容位置とに揺動可能に配され、
前記ノズルは、遊技媒体を前記貯留タンクへ排出するためのものであり、
前記レバーは、前記遊技機を開閉させることで前方位置と後方位置とに揺動するように配され、
前記ストッパー連動機構は、前記レバーの揺動する区間を連動区間と遊び区間とに分け、前記前方位置と前記後方位置との間の中間位置から前記後方位置までの前記連動区間では、前記レバーを前記中間位置と前記後方位置とに揺動することで前記ストッパーを前記移動阻止位置と前記移動許容位置とに揺動させる一方、前記前方位置と前記中間位置との間である前記遊び区間では、前記レバーを前記前方位置と前記中間位置とに揺動しても前記ストッパーを前記移動阻止位置に維持するようにした
ことを特徴とする遊技媒体の補給装置。
【請求項２】
遊技機島の装着枠の開口を開閉するように遊技機が装着され、遊技機が前記装着枠の開口を閉じたとき、遊技機島側から遊技機側の貯留タンクへ遊技媒体を補給するようにした遊技媒体の補給装置において、
前記遊技機島側から前記貯留タンクへ遊技媒体を導くための補給路と、該補給路の始端と終端との間の途中位置に配されたストッパーと、前記補給路の終端に配されたノズルと、前記遊技機に連動するように配されたレバーと、前記ノズルを前記レバーに連動させるためのノズル連動機構と、前記ストッパーを前記レバーに連動させるためのストッパー連動機構とを備え、
前記ストッパーは、前記補給路内の遊技媒体の前記ノズルへの移動を阻止する移動阻止位置と、前記補給路内の遊技媒体の前記ノズルへの移動を許容する移動許容位置とに揺動可能に配され、
前記ノズルは、遊技媒体を前記貯留タンクへ排出するためのものであって、昇降可能に前記補給装置の本体に支持され、
前記レバーは、前記遊技機の開閉動作によって前方位置と後方位置とに揺動するように配され、
前記ノズル連動機構は、前記レバーを前記前方位置から前記後方位置に揺動させたとき、前記ノズルを下降させて前記貯留タンク内に進入させる一方、前記レバーを前記後方位置から前記前方位置に揺動させるとき、前記ノズルを上昇させて前記貯留タンク内から退出させ、
前記ストッパー連動機構は、前記レバーの揺動する区間を連動区間と遊び区間とに分け、前記前方位置と前記後方位置との間の中間位置から前記後方位置までの前記連動区間では、前記レバーを前記中間位置と前記後方位置とに揺動することで前記ストッパーを前記移動阻止位置と前記移動許容位置とに揺動させる一方、前記前方位置と前記中間位置との間である前記遊び区間では、前記レバーを前記前方位置と前記中間位置とに揺動しても前記ストッパーを前記移動阻止位置に維持するようにした
ことを特徴とする遊技媒体の補給装置。
【請求項３】
開閉検出手段を備え、
前記開閉検出手段は、前記ノズルの昇降する動作を検出することで、前記遊技機の開閉動作を検出する
ことを特徴とする請求項２に記載の遊技媒体の補給装置。
【請求項４】
前記ノズルは、該ノズルを上昇させる方向へ付勢するコイルばねによって形成されている
ことを特徴とする請求項２に記載の遊技媒体の補給装置。
【請求項５】
中継部材を備え、
前記中継部材は、前記ノズルを前記レバーに連動させるための第１アームと、前記ストッパーを前記レバーに連動させるための第２アームとを有し、
前記第１アームと前記第２アームとは一体的に形成されている
ことを特徴とする請求項２または３に記載の遊技媒体の補給装置。
【発明の詳細な説明】
【０００１】
【発明の属する技術分野】
本発明は、遊技機島の装着枠の開口を開閉するように遊技機が装着され、遊技機の上部に貯留タンクが設けられ、遊技機が前記装着枠の開口を閉じたとき、遊技機島側から前記貯留タンクへ遊技媒体を補給するようにした遊技媒体の補給装置に関するものである。
【０００２】
【従来の技術】
従来の遊技媒体の補給装置としては、遊技機島側から遊技機の景品球貯留タンクにパチンコ玉を補給するもので、遊技機の前面枠が遊技機島の装着枠の開口を開閉するとき、カンチレバーに補給ノズルが連動するとともに、玉止片が相対的に連動するもので、装着枠の開口を開いているとき、補給ノズルが上方位置に揺動していて、玉止片によって補給ノズルの口が塞がれている。遊技機の前面枠で装着枠の開口を閉じるとき、遊技機の景品球貯留タンクがカンチレバーを付勢力に抗して前方位置から後方位置に押し込むことで、補給ノズルを上方位置から下方位置に揺動させ、補給ノズルの口が開き、補給ノズルの口を通してパチンコ球を景品球貯留タンクに排出するようにしている（特許文献１参照。）。
【０００３】
また、レバーに補給管およびストッパー片がそれぞれ連動するもので、遊技機の貯玉ケースが付勢力に抗してレバーを押し込むことで、補給管が貯玉ケース内に下降するとともに、ストッパー片が補給管の管内から外れ、補給管が開いて、補給管を通して、貯玉ケースにパチンコ球を排出するようにしたものもある（特許文献２参照。）。
【０００４】
【特許文献１】
特開平１０−３２８３７８号公報
【特許文献２】
特開平９−３０８７５３号公報
【０００５】
【発明が解決しようとする課題】
しかしながら前記従来の遊技媒体の補給装置では、特許文献１に係る技術においては、遊技機の前面枠を開いて、遊技機の裏側に配されている部品等を保守点検するときに、補給ノズルは上方位置にあって、玉止片が補給ノズルの口を塞いでいるが、作業者が誤って補給ノズルやカンチレバーに触れて、補給ノズルを下方位置に揺動させてしまい、補給ノズルの口を通してパチンコ球を排出してしまうおそれがあり、作業者は補給ノズル等に触れないように配慮しながら、保守点検作業を行う必要があり、使い勝手がよくないという問題点があった。
【０００６】
また、特許文献２に係る技術においても、作業者が誤ってレバーを押し込んで、補給管が開いて、補給管を通してパチンコ球を排出してしまうおそれがあり、同じく、レバーに触れないように配慮しながら、保守点検作業を行う必要があり、使い勝手がよくないという問題点があった。
【０００７】
本発明は、かかる従来の技術の問題点に鑑みてなされたものであり、レバーが前方位置から中間位置に揺動するまでの間を遊び区間とし、遊び区間ではストッパーをレバーに連動させずに移動阻止位置に維持するようにして、保守点検作業時に、作業者がレバーを連動区間に揺動させない限りは、補給路内の遊技媒体をノズル側へ移動させないようにして、レバーに触れないように注意を払いながら作業を行う必要がなく、使い勝手のよい遊技媒体の補給装置を提供することを目的としている。
【０００８】
【課題を解決するための手段】
かかる目的を達成するための本発明の要旨とするところは、次の各項の発明に存する。
［１］遊技機島（１０）の装着枠（１１）の開口（１２）を開閉するように遊技機（２０）が装着され、遊技機（２０）が前記装着枠（１１）の開口（１２）を閉じたとき、遊技機島（１０）側から遊技機（２０）側の貯留タンク（２５）へ遊技媒体を補給するようにした遊技媒体の補給装置（３０）において、
前記遊技機島（１０）側から前記貯留タンク（２５）へ遊技媒体を導くための補給路（４０）と、該補給路の始端と終端との間の途中位置に配されたストッパー（６０）と、前記補給路の終端に配されたノズル（５０）と、前記遊技機（２０）に連動するように配されたレバー（７０）と、前記ストッパー（６０）を前記レバー（７０）に連動させるためのストッパー連動機構（８０）とを備え、
前記ストッパー（６０）は、前記補給路（４０）内の遊技媒体の前記ノズル（５０）への移動を阻止する移動阻止位置と、前記補給路（４０）内の遊技媒体の前記ノズル（５０）への移動を許容する移動許容位置とに揺動可能に配され、
前記ノズル（５０）は、遊技媒体を前記貯留タンク（２５）へ排出するためのものであり、
前記レバー（７０）は、前記遊技機（２０）を開閉させることで前方位置と後方位置とに揺動するように配され、
前記ストッパー連動機構（８０）は、前記レバー（７０）の揺動する区間を連動区間と遊び区間とに分け、前記前方位置と前記後方位置との間の中間位置から前記後方位置までの前記連動区間では、前記レバー（７０）を前記中間位置と前記後方位置とに揺動することで前記ストッパー（６０）を前記移動阻止位置と前記移動許容位置とに揺動させる一方、前記前方位置と前記中間位置との間である前記遊び区間では、前記レバー（７０）を前記前方位置と前記中間位置とに揺動しても前記ストッパー（６０）を前記移動阻止位置に維持するようにした
ことを特徴とする遊技媒体の補給装置（３０）。
【０００９】
［２］遊技機島（１０）の装着枠（１１）の開口（１２）を開閉するように遊技機（２０）が装着され、遊技機（２０）が前記装着枠（１１）の開口（１２）を閉じたとき、遊技機島（１０）側から遊技機（２０）側の貯留タンク（２５）へ遊技媒体を補給するようにした遊技媒体の補給装置（３０）において、
前記遊技機島（１０）側から前記貯留タンク（２５）へ遊技媒体を導くための補給路（４０）と、該補給路の始端と終端との間の途中位置に配されたストッパー（６０）と、前記補給路の終端に配されたノズル（５０）と、前記遊技機（２０）に連動するように配されたレバー（７０）と、前記ノズル（５０）を前記レバー（６０）に連動させるためのノズル連動機構（９０）と、前記ストッパー（６０）を前記レバー（７０）に連動させるためのストッパー連動機構（８０）とを備え、
前記ストッパー（６０）は、前記補給路（４０）内の遊技媒体の前記ノズル（５０）への移動を阻止する移動阻止位置と、前記補給路（４０）内の遊技媒体の前記ノズル（５０）への移動を許容する移動許容位置とに揺動可能に配され、
前記ノズル（５０）は、遊技媒体を前記貯留タンク（２５）へ排出するためのものであって、昇降可能に前記補給装置（３０）の本体（３１）に支持され、
前記レバー（７０）は、前記遊技機（２０）の開閉動作によって前方位置と後方位置とに揺動するように配され、
前記ノズル連動機構（９０）は、前記レバー（７０）を前記前方位置から前記後方位置に揺動させたとき、前記ノズル（５０）を下降させて前記貯留タンク（２５）内に進入させる一方、前記レバー（７０）を前記後方位置から前記前方位置に揺動させるとき、前記ノズル（５０）を上昇させて前記貯留タンク（２５）内から退出させ、
前記ストッパー連動機構（８０）は、前記レバー（７０）の揺動する区間を連動区間と遊び区間とに分け、前記前方位置と前記後方位置との間の中間位置から前記後方位置までの前記連動区間では、前記レバー（７０）を前記中間位置と前記後方位置とに揺動することで前記ストッパー（６０）を前記移動阻止位置と前記移動許容位置とに揺動させる一方、前記前方位置と前記中間位置との間である前記遊び区間では、前記レバー（７０）を前記前方位置と前記中間位置とに揺動しても前記ストッパー（６０）を前記移動阻止位置に維持するようにした
ことを特徴とする遊技媒体の補給装置（３０）。
【００１０】
［３］開閉検出手段（Ｓ１）を備え、
前記開閉検出手段（Ｓ１）は、前記ノズル（５０）の昇降する動作を検出することで、前記遊技機（２０）の開閉動作を検出する
ことを特徴とする［２］に記載の遊技媒体の補給装置（３０）。
【００１１】
［４］前記ノズル（５０）は、該ノズル（５０）を上昇させる方向へ付勢するコイルばねによって形成されている
ことを特徴とする［２］に記載の遊技媒体の補給装置（３０）。
【００１２】
［５］中継部材（７５）を備え、
前記中継部材（７５）は、前記ノズル（５０）を前記レバー（７０）に連動させるための第１アーム（７６）と、前記ストッパー（６０）を前記レバー（７０）に連動させるための第２アーム（７７）とを有し、
前記第１アーム（７６）と前記第２アーム（７７）とは一体的に形成されている
ことを特徴とする［２］または［３］に記載の遊技媒体の補給装置（３０）。
【００１３】
次に、本発明の作用を説明する。
遊技機（２０）が遊技機島（１０）の装着枠（１１）の開口（１２）を閉じているとき、レバー（７０）は後方位置に揺動している。ストッパー（６０）は移動許容位置にあって、補給路（４０）内の遊技媒体がノズル（５０）へ移動するのを許容している。それにより、遊技機島（１０）側から補給路（４０）内に移動した遊技媒体はノズル（５０）へ移動し、ノズル（５０）から貯留タンク（２５）に排出される。
【００１４】
一方、遊技機（２０）が遊技機島（１０）の装着枠（１１）の開口（１２）を開いているとき、レバー（７０）は前方位置に揺動している。ストッパー（６０）は移動阻止位置にあって、補給路（４０）内の遊技媒体がノズル（５０）へ移動するのを阻止している。それにより、遊技機島（１０）側から補給路（４０）内に移動した遊技媒体はノズル（５０）へ移動することがなく、遊技媒体がノズル（５０）から貯留タンク（２５）に排出されることはない。
【００１５】
また、遊技機（２０）が遊技機島（１０）の装着枠（１１）の開口（１２）を開いているとき、保守点検作業時に、作業者が誤ってレバー（７０）に触れ、レバー（７０）が前方位置から後方位置の方へ揺動しても、レバー（７０）が遊び区間内にあって前方位置と中間位置との間を揺動するのであれば、ストッパー（６０）はレバー（７０）に連動することなく移動阻止位置に維持される。それにより、補給路（４０）内の遊技媒体はノズル（５０）へ移動することがなく、遊技媒体がノズル（５０）から貯留タンク（２５）に排出されることはない。
【００１６】
補給路（４０）内の遊技媒体をノズル（５０）へ移動するには、例えば、遊技機（２０）が遊技機島（１０）の装着枠（１１）の開口（１２）を閉じるときのように、レバー（７０）を遊び区間から連動区間に揺動し、連動区間において、レバー（７０）を中間位置から後方位置に揺動させればよい。
以上のように、遊技機（２０）が、遊技機島（１０）の装着枠（１１）の開口（１２）を開閉するものであるが、遊技機（２０）の前面枠（２１）が開口（１２）を開閉するものでもよく、本発明において、開口（１２）を開閉するものとして遊技機（２０）を挙げるときは、遊技機（２０）は、遊技機（２０）全体および遊技機（２０）の一部である前面枠（２１）の両方を含むものである。
【００１７】
ノズル（５０）が昇降可能に前記補給装置（３０）の本体（３１）に支持され、ノズル連動機構（９０）を備えたものでは、遊技機（２０）が遊技機島（１０）の装着枠（１１）の開口（１２）を閉じることで、レバー（７０）を前方位置から後方位置に揺動させたとき、ノズル（５０）を下降させて貯留タンク（２５）内に進入させる。それにより、補給路（４０）内の遊技媒体がノズル（５０）から貯留タンク（２５）に確実に排出され、貯留タンク（２５）から遊技媒体がこぼれ落ちることがない。
【００１８】
遊技機（２０）が遊技機島（１０）の装着枠（１１）の開口（１２）を開くことで、レバー（７０）を後方位置から前方位置に揺動させるとき、ノズル（５０）を上昇させて貯留タンク（２５）内から退出させる。それにより、遊技機（２０）と一体的に移動する貯留タンク（２５）にノズル（５０）が干渉することがない。
【００１９】
開閉検出手段（Ｓ１）を備えたものでは、遊技機（２０）が遊技機島（１０）の装着枠（１１）の開口（１２）を開閉することで、ノズル（５０）がレバー（７０）に連動して昇降する。開閉検出手段（Ｓ１）は、ノズル（５０）が上昇することで、遊技機（２０）が装着枠（１１）の開口（１２）を開いたことを検出し、ノズル（５０）が下降することで、遊技機（２０）が装着枠（１１）の開口（１２）を閉じたことを検出する。
【００２０】
したがって、遊技機（２０）が装着枠（１１）の開口（１２）を閉じ、ノズル（５０）が下降して貯留タンク（２５）内に進出すべきときに、例えば、ノズル（５０）が貯留タンク（２５）の周壁と干渉したり、貯留タンク（２５）内の遊技媒体と干渉して、ノズル（５０）が完全に下降していないで、遊技媒体がノズル（５０）から十分に排出できない不具合状態にあるとき、装着枠（１１）の開口（１２）を閉じたことの検出信号を開閉検出手段（Ｓ１）が出力しない。それにより、作業者は、ノズル（５０）が不具合状態にあることを判断して、再度、装着枠（１１）の開口（１２）を開いて、ノズル（５０）の不具合を直した上で、装着枠（１１）の開口（１２）を閉じ、検出信号の出力を確認することができ、遊技媒体がノズル（５０）から貯留タンク（２５）に排出されないというトラブルを未然に防止することができる。
【００２１】
ノズル（５０）がそのノズル（５０）を上昇させる方向へ付勢するコイルばねによって形成されているものでは、部品点数を減少させ、組立工数や組立コストを削減することができる。
【００２２】
遊技機（２０）が遊技機島（１０）の装着枠（１１）の開口（１２）を閉じ、レバー（７０）を前方位置から後方位置に揺動させるとき、コイルばねの付勢力に抗してノズル（５０）を下降させる必要がある。一方、遊技機（２０）が遊技機島（１０）の装着枠（１１）の開口（１２）を開き、レバー（７０）を後方位置から前方位置に揺動させるとき、コイルばねの付勢力によりノズル（５０）が上昇する。
【００２３】
中継部材（７５）がノズル（５０）をレバー（７０）に連動させるための第１アーム（７６）と、ストッパー（６０）をレバー（７０）に連動させるための第２アーム（７７）とを有しているものでは、ノズル（５０）が前方位置と後方位置とに揺動することで、第１アーム（７６）と第２アーム（７７）とが一体的に動作し、第１アーム（７６）がレバー（７０）の動きをノズル（５０）に伝え、第２アーム（７７）がレバー（７０）の動きをストッパー（６０）に伝える。その結果、ノズル（５０）が昇降し、かつ、ストッパー（６０）が移動阻止位置と移動許容位置とに揺動する。また、第１アーム（７６）と第２アーム（７７）とが一体的に形成されているので、部品点数を減少させることができる。
【００２４】
【発明の実施の形態】
以下、図面に基づいて本発明の実施の形態を説明する。各図は本発明の一実施の形態を示している。図１は、本発明の一実施の形態に係る遊技機島の装着枠の開口を閉じた遊技機を側方から見たときの遊技媒体の補給装置の側面図、図２は、同じく遊技機を背後から見たときの遊技媒体の補給装置の正面図である。
【００２５】
また、図３は、ノズルを上昇させ、ストッパーを移動阻止位置に揺動させた状態を示す遊技媒体の補給装置の正面図、図４は、同じくノズルを上昇させ、ストッパーを移動阻止位置に揺動させた状態を示す遊技媒体の補給装置の側面図、図８は接続用管の断面図である。
【００２６】
図１〜図４および図８に示すように、遊技機島１０の装着枠１１の開口１２を開閉するように遊技機２０の前面枠２１が装着されている。遊技機２０の上部に貯留タンク２５が設けられている。本発明に係る遊技媒体の補給装置は、装着枠１１の開口１２を遊技機２０全体で開閉するタイプのものにも適用できる。
【００２７】
遊技機島１０の装着枠１１の上枠１１ａには補給装置３０が装着されている。補給装置３０は、遊技機２０が装着枠１１の開口１２を閉じたとき、遊技機島１０側から貯留タンク２５へパチンコ球Ｐ１である遊技媒体を補給するためのものである。補給装置３０の本体３１は樹脂材により成形されていて、略Ｌ字断面形状の取付ブラケット３２を介して上枠１１ａに固定されている。
【００２８】
補給装置３０は、補給路４０と、ノズル５０と、ストッパー６０と、レバー７０と、ストッパー連動機構８０と、ノズル連動機構９０とを備えている。補給路４０は、遊技機島１０側からの遊技媒体をノズル５０に導くように配されている。補給路４０は、遊技媒体の通路を略正方形断面形状にして、補給装置３０の本体３１と一体的に形成されている。補給路４０の上端部は球形状の被接続部４１に成っていて、被接続部４１には接続用管４２の下端部が回転自在に嵌着していて、被接続部４１と接続用管４２とによってボールジョイントを構成している。
【００２９】
図８に示すように、接続用管４２の上端口にはジャバラホース１５が嵌合している。ジャバラホース１５は遊技機島１０の補給樋（図示省略）から各遊技機２０に延ばされたものである。接続用管４２の外周には一対の枢軸突起４６が形成され、枢軸突起４６により接続用管４２の上端部には止め金具４３が揺動可能に支持され、止め金具４３の揺動端部には爪部４４が形成されている。爪部４４は、接続用管４２の下孔４２ａを通して、ジャバラホース１５の線材と線材との間の隙間に係合することで、ジャバラホース１５を接続用管４２に止着するものである。
【００３０】
また、止め金具４３の揺動端部には一対の嵌着爪４５が形成され、止め金具４３の嵌着爪４５が接続用管４２に嵌着することで、その爪部４４によってジャバラホース１５を止着した状態に維持している。
【００３１】
図１〜図４に示すように、ノズル５０は、遊技媒体を貯留タンク２５へ排出するためのものであって、昇降可能に補給装置３０の本体３１に支持されている。ノズル５０は、ノズル５０を上昇させる方向へ付勢するコイルばねによって形成されている。ノズル５０の上端口は補給路４０の下端口に接続されている。本実施の形態では、ノズル５０を伸縮させることで、ノズル５０を昇降させている。
【００３２】
ノズル５０の下端部５１には昇降金具５３が連結されている。昇降金具５３の両端部にはガイドピン５４およびガイド突起５５がそれぞれ設けられている。一方、補給装置３０の本体３１には昇降金具５３を間にして両側にガイド溝３３がそれぞれ形成されている。各ガイド溝３３には、ガイドピン５４およびガイド突起５５が上下移動可能に嵌合している。
【００３３】
補給装置３０の本体３１にはリミットスイッチである開閉検出手段Ｓ１が設けられている。開閉検出手段Ｓ１は、ノズル５０の昇降する動作を検出することで、遊技機２０の開閉動作を検出するものである。
【００３４】
図６はノズルを下降させ、ストッパーを移動許容位置に揺動させた状態を示す遊技媒体の補給装置の正面図である。開閉検出手段Ｓ１は、図３に示すようにガイド突起５５によって開閉検出手段Ｓ１のスイッチ片Ｓ２が押し込まれないことで、昇降金具５３とノズル５０とが共に上昇し、遊技機２０の開き動作を検出する一方、図６に示すようにガイド突起５５によって開閉検出手段Ｓ１のスイッチ片Ｓ２が押し込まれることで、昇降金具５３とノズル５０とが共に下降し、遊技機２０の閉じ動作を検出するものである。
【００３５】
ストッパー６０は、補給路４０内の遊技媒体のノズル５０への移動を阻止する移動阻止位置と、補給路４０内の遊技媒体のノズル５０への移動を許容する移動許容位置とに枢軸６１により揺動可能に配されている。ストッパー６０の先端部には突片６２が形成されている。遊技媒体を斜め下方に移動させるように形成された補給路４０の斜行路４７には窓４７ａが開設されている。
【００３６】
補給装置３０の本体３１には一対の支持突起３４が形成されている。一対の支持突起３４には枢軸６１が架設され、枢軸６１には巻きばね６３が巻着されている。ストッパー６０の突片６２は、補給路４０の窓４７ａを通って、補給路４０内に突出して、遊技媒体を止める一方、補給路４０内から没入して、遊技媒体を通過させるものである。巻きばね６３によって、ストッパー６０が移動阻止位置に揺動する方向に付勢されている。
【００３７】
レバー７０は、遊技機２０を開閉させることで前方位置と後方位置とに揺動するように配されている。補給装置３０の本体３１には一対の支持腕３５が形成され、一対の支持腕３５には枢軸７１が架設され、枢軸７１によってレバー７０が揺動可能に支持されている。本実施の形態では、レバー７０は、遊技機２０を閉じるときにレバー７０の一端部７２を貯留タンク２５の後壁２６に後方へ押し込まれることで前方位置から後方位置に揺動するものである。レバー７０は枢軸７１に巻き着けられた巻きばねであって、レバー７０の中央部が下方に延ばされてレバー７０の一端部７２に成っている。レバー７０の両端部７３がそれぞれ中継部材７５の基端部に係合している。レバー７０を巻きばねにすることによって、貯留タンク２５からの衝撃を吸収できるようになっている。
【００３８】
枢軸７１には中継部材７５が揺動可能に支持されている。中継部材７１は、ノズル５０をレバー７０に連動させるための第１アーム７６と、ストッパー６０をレバー７０に連動させるための第２アーム７７とを有している。第１アーム７６と第２アーム７７とは一体的に形成されている。第１アーム７６の先端部７６ａは、ガイドピン５４、ガイド突起５５に係合している。
【００３９】
図５は、遊技機島の装着枠の開口を開いた遊技機を側方から見たときの遊技媒体の補給装置の側面図、図７はノズルを下降させ、ストッパーを移動許容位置に揺動させた状態を示す遊技媒体の補給装置の側面図である。第２アーム７７の先端部７７ａは、図１に示すように遊技機２０が装着枠１１の開口を開いた状態では、ストッパー６０の被押動端６５から離間しており、図５〜図７に示すように遊技機２０が装着枠１１の開口を閉じた状態では、ストッパー６０の被押動端６５を押し込むものである。
【００４０】
ストッパー連動機構８０は、レバー７０の揺動する区間を連動区間と遊び区間とに分けたものである。連動区間は、前方位置と後方位置との間の中間位置から後方位置までの間であって、遊び区間は前方位置と中間位置との間である。すなわち、連動区間は、中継部材７５がレバー７０と一体的に揺動して第２アーム７７の先端部７７ａがストッパー６０の被押動端６５に当接し、被押動端６５を押し込む区間であって、レバー７０を中間位置と後方位置とに揺動することでストッパー６０を移動阻止位置と移動許容位置とに揺動させる区間である。
【００４１】
遊び区間は、第２アーム７７の先端部７７ａがストッパー６０の被押動端６５に当接するまでの区間であって、レバー７０を前方位置と中間位置とに揺動してもストッパー６０を移動阻止位置に維持させる区間である。
【００４２】
ノズル連動機構９０は、図５に示すように、レバー７０を前方位置から後方位置に揺動させたとき、第１アーム７６を介してノズル５０を下降させて貯留タンク２５内に進入させる一方、図１に示すように、レバー７０を後方位置から前方位置に揺動させるとき、第１アーム７６を介してノズル５０を上昇させて貯留タンク２５内から退出させるものである。
【００４３】
次に、前記実施の形態の作用を説明する。
図５〜図７に示すように、遊技機２０が遊技機島１０の装着枠１１の開口１２を閉じているとき、レバー７０は貯留タンク２５に押し込まれ、後方位置に揺動している。中継部材７５の第１アーム７６の先端部７６ａは昇降金具５３を介して、ノズル５０の付勢力に抗してそのノズル５０を下降させて貯留タンク２５内に進入させている。それにより、補給路４０内の遊技媒体がノズル５０から貯留タンク２５に確実に排出される。
【００４４】
また、中継部材７５の第２アーム７７の先端部７７ａは、巻きばね６３の付勢力に抗してストッパー６０の被押動端６５を押していて、ストッパー６０は移動許容位置にあって、補給路４０内の遊技媒体がノズル５０へ移動するのを許容している。それにより、遊技機島１０側から補給路４０内に移動した遊技媒体はノズル５０へ移動し、ノズル５０から貯留タンク２５に排出される。
【００４５】
さらに、遊技機２０が遊技機島１０の装着枠１１の開口１２を閉じているとき、ノズル５０がレバー７０に連動して下降し、開閉検出手段Ｓ１は、そのスイッチ片Ｓ２がガイド突起５５によって押し込まれることで、遊技機２０が装着枠１１の開口１２を閉じたことを検出する。
【００４６】
一方、図１に示すように、遊技機２０が遊技機島１０の装着枠１１の開口１２を開いているとき、貯留タンク２５はレバー７０から離れていて、レバー７０はノズル５０の付勢力によって前方位置に揺動している。
【００４７】
遊技機２０が遊技機島１０の装着枠１１の開口１２を開くとき、レバー７０が後方位置から前方位置に揺動し、ノズル５０はその付勢力により上昇して貯留タンク２５内から退出するので、遊技機２０と一体的に移動する貯留タンク２５の後壁２６にノズル５０が干渉することはない。
【００４８】
また、中継部材７５の第２アーム７７の先端部７７ａは、ストッパー６０の被押動端６５から離れていて、巻きばね６３の付勢力により、ストッパー６０は移動阻止位置に揺動していて、補給路４０内の遊技媒体がノズル５０へ移動するのを阻止している。それにより、遊技機島１０側から補給路４０内に移動した遊技媒体はノズル５０へ移動することがなく、遊技媒体がノズル５０から貯留タンク２５に排出されることはない。
【００４９】
さらに、遊技機２０が遊技機島１０の装着枠１１の開口１２を開いているとき、ノズル５０はレバー７０に連動して上昇し、開閉検出手段Ｓ１は、そのスイッチ片Ｓ２がガイド突起５５に押し込まれないことで、遊技機２０が装着枠１１の開口１２を開いていることを検出する。
【００５０】
このように、開閉検出手段Ｓ１は、ガイド突起５５がノズル５０と一体的に上昇することで、遊技機２０が装着枠１１の開口１２を開いたことを検出し、ガイド突起５５がノズル５０と一体的に下降することで、遊技機２０が装着枠１１の開口１２を閉じたことを検出する。
【００５１】
遊技機２０が装着枠１１の開口１２を閉じ、ノズル５０が下降して貯留タンク２５内に進出すべきときに、例えば、ノズル５０が貯留タンク２５の後壁２６等と干渉したり、貯留タンク２５内の遊技媒体と干渉して、ノズル５０が完全に下降していない不具合状態になる場合がある。このとき、開閉検出手段Ｓ１は、そのスイッチ片Ｓ２がガイド突起５５に押し込まれないので、装着枠１１の開口１２を閉じたことの検出信号を出力しない。それにより、作業者は、ノズル５０が不具合状態にあることを判断することができ、ノズル５０を適正な状態に直すことができ、遊技媒体がノズル５０から貯留タンク２５に排出されないというトラブルを未然に防止することができる。
【００５２】
また、遊技機２０が遊技機島１０の装着枠１１の開口１２を開いているとき、保守点検作業時に、作業者が誤ってレバー７０に触れ、レバー７０が前方位置から後方位置の方へ揺動しても、レバー７０が遊び区間内にあって前方位置と中間位置との間を揺動するのであれば、中継部材７５の第２アーム７７の先端部７７ａは、ストッパー６０の被押動端６５を押し込まないので、ストッパー６０はレバー７０に連動することなく移動阻止位置に維持される。それにより、補給路４０内の遊技媒体はノズル５０へ移動することがなく、遊技媒体がノズル５０から貯留タンク２５に排出されることはない。
【００５３】
補給路４０内の遊技媒体をノズル５０側へ移動するには、例えば、遊技機２０が遊技機島１０の装着枠１１の開口１２を閉じるときのように、レバー７０を遊び区間から連動区間に揺動し、連動区間において、レバー７０を中間位置から後方位置に揺動させればよい。それにより、中継部材７５の第２アーム７７の先端部７７ａが、巻きばね６３の付勢力に抗してストッパー６０の被押動端６５を押し、ストッパー６０を移動許容位置に揺動させることができる。
【００５４】
なお、前記実施の形態では、遊技機２０が遊技機島１０の装着枠１１の開口１２を閉じるとき、貯留タンク２５によってレバー７０を前方位置から後方位置に押し込み、遊技機２０が遊技機島１０の装着枠１１の開口１２を開くとき、ノズル７０であるコイルばねの付勢力によって、貯留タンク２５にレバー７０を追従させるものを示したが、これに限らず、カム機構や歯車機構を用いることで、レバー７０を貯留タンク２５に連動させるものであってもよい。また、レバー７０を遊技機２０の本体に連動させるようにしてもよい。さらに、レバー７０を補給装置３０の本体３１に設けたものを示したが、これに限らず、レバー７０を装着枠１１に設けてもよい。
【００５５】
【発明の効果】
本発明に係る遊技媒体の補給装置によれば、遊技機が遊技機島の装着枠の開口を開いているとき、保守点検作業時に、作業者が誤ってレバーに触れ、レバーが前方位置から後方位置の方へ揺動しても、レバーが遊び区間内にあって前方位置と中間位置との間を揺動するのであれば、ストッパーはレバーに連動することなく移動阻止位置に維持されるようにしたので、補給路内の遊技媒体はノズルへ移動することがなく、遊技媒体がノズルから貯留タンクに排出されることはなく、作業者がレバーに触れないように配慮しながら保守点検作業をする必要がなく、使い勝手がよくなる。
【００５６】
また、遊技機が遊技機島の装着枠の開口を閉じることで、レバーを前方位置から後方位置に揺動させたとき、ノズルを下降させて貯留タンク内に進入させるようにしたので、補給路内の遊技媒体をノズルから貯留タンクに確実に排出させることができる。さらに、ノズルが完全に下降していないで、遊技媒体がノズルから十分に排出できない不具合状態にあるとき、装着枠の開口を閉じたことの検出信号を開閉検出手段が出力しないようにしたので、作業者は、ノズルの不具合状態を判断して、ノズルを適正な状態に直すことができ、遊技媒体がノズルから貯留タンクに排出されないというトラブルを未然に防止することができる。
【００５７】
さらに、ノズルがコイルばねによって形成され、コイルばねの付勢力によっててノズルを上昇させる方向へ付勢したので、付勢手段を新たに設ける必要がなく、部品点数を減少させ、組立工数や組立コストを削減することができる。さらに、中継部材はノズルをレバーに連動させるための第１アームと、ストッパーをレバーに連動させるための第２アームとを有し、第１アームと第２アームとが一体的に形成されているので、部品点数を減少させることができる。
【図面の簡単な説明】
【図１】本発明の一実施の形態に係る遊技機島の装着枠の開口を閉じた遊技機を側方から見たときの遊技媒体の補給装置の側面図である。
【図２】同じく、遊技機島の装着枠の開口を閉じた遊技機を背後から見たときの遊技媒体の補給装置の正面図である。
【図３】本発明の一実施の形態に係るノズルを上昇させ、ストッパーを移動阻止位置に揺動させた状態を示す遊技媒体の補給装置の正面図である。
【図４】同じく、ノズルを上昇させ、ストッパーを移動阻止位置に揺動させた状態を示す遊技媒体の補給装置の側面図である。
【図５】同じく、遊技機島の装着枠の開口を開いた遊技機を側方から見たときの遊技媒体の補給装置の側面図である。
【図６】本発明の一実施の形態に係るノズルを下降させ、ストッパーを移動許容位置に揺動させた状態を示す遊技媒体の補給装置の正面図である。
【図７】同じく、ノズルを下降させ、ストッパーを移動許容位置に揺動させた状態を示す遊技媒体の補給装置の側面図である。
【図８】本発明の一実施の形態に係る接続用管を軸方向に沿って破断した断面図である。
【符号の説明】
Ｐ１…パチンコ球
Ｓ１…開閉検出手段
Ｓ２…スイッチ片
１０…遊技機島
１１…装着枠
１１ａ…上枠
１２…開口
１５…ジャバラホース
２０…遊技機
２１…前面枠
２５…貯留タンク
２６…後壁
３０…補給装置
３１…本体
３２…取付ブラケット
３３…ガイド溝
３４…支持突起
３５…支持腕
４０…補給路
４１…被接続部
４２…接続用管
４３…止め金具
４４…爪部
４５…嵌着爪
４６…枢軸突起
４７…斜行路
４７ａ…窓
５０…ノズル
５１…下端部
５３…昇降金具
５４…ガイドピン
５５…ガイド突起
６０…ストッパー
６１…枢軸
６２…突片
６３…巻きばね
６５…被押動端
７０…レバー
７１…枢軸
７２…一端部
７３…両端部
７５…中継部材
７６…第１アーム
７６ａ…先端部
７７…第２アーム
７７ａ…先端部
８０…ストッパー連動機構
９０…ノズル連動機構
【図１】
2004267270.tif 000003
【図２】
2004267270.tif 000004
【図３】
2004267270.tif 000005
【図４】
2004267270.tif 000006
【図５】
2004267270.tif 000007
【図６】
2004267270.tif 000008
【図７】
2004267270.tif 000009
【図８】
2004267270.tif 000010